(57)【要約】【課題】型抜きされた１枚の台紙を用いることで折り紙としての要素を損なわずに作成が可能であり、かつ低コストで均一な見開きパネルを提供することを目的とする。【解決手段】縦幅寸法ｈ、横幅寸法ｗの長方形状の面Ｘと、該面Ｘと同一寸法の面Ｙと、前記面Ｘ、Ｙに連結される帯Ａ、Ｂ、Ｃ、Ｄとが１枚の台紙で構成される見開きパネルであって、前記帯は、縦幅寸法ｇ、横幅寸法ｗの長方形状であって、前記台紙は、帯Ａ、面Ｘ、２個の帯Ｃ、Ｄ、面Ｙ、帯Ｂの順序で連結されており、各連結部には、それぞれ折り目を具備し、前記２個の帯Ｃ、Ｄは、それぞれ面Ｘと面Ｙの間に平行に連結され、帯Ｃと帯Ｄとの間には、前記帯と同一寸法の隙間を具備する台紙を、前記折り目を所定の方向に折り曲げ、かつ、帯Ａと帯Ｂとを重ね合わせて接合することで形成されることを特徴とする見開きパネル。【選択図】図１
2010083067.tif 000002
【特許請求の範囲】
【請求項１】
縦幅寸法ｈ、横幅寸法ｗの長方形状の面Ｘと、該面Ｘと同一寸法の面Ｙと、前記面Ｘ、Ｙに連結される帯Ａ、Ｂ、Ｃ、Ｄとが１枚の台紙で構成される見開きパネルであって、
前記帯は、縦幅寸法ｇ、横幅寸法ｗの長方形状であって、
前記台紙は、帯Ａ、面Ｘ、２個の帯Ｃ、Ｄ、面Ｙ、帯Ｂの順序で連結されており、
各連結部には、それぞれ折り目を具備し、
前記２個の帯Ｃ、Ｄは、それぞれ面Ｘと面Ｙの間に平行に連結され、帯Ｃと帯Ｄとの間には、前記帯と同一寸法の隙間を具備する台紙を、
前記折り目を所定の方向に折り曲げ、かつ、帯Ａと帯Ｂとを重ね合わせて接合することで形成されることを特徴とする見開きパネル。
【請求項２】
縦幅寸法が異なる前記帯で連結された前記台紙であって、
前記帯Ａと帯Ｂとは同一の縦幅寸法で、
前記帯Ｃと帯Ｄの間にある隙間の縦幅寸法が、
前記帯Ａ、Ｂと同一寸法の隙間を具備する台紙であることを特徴とする請求項１記載の見開きパネル。
【発明の詳細な説明】
【技術分野】
【０００１】
本発明は、左右どちらにでも開く機能を、１枚の台紙を折り曲げることで実現した見開きパネルに関する。
【背景技術】
【０００２】
従来から「パタパタ」と呼ばれる紙細工が知られており、図５、図６は従来のパタパタの機能を生かしたミニ屏風４０の作成手順（ａ）〜（ｆ）を示した図である。
【０００３】
図５（ａ）に示すようにミニ屏風４０は、３枚の帯３１、帯３２、帯３３と２枚の台紙３４、３５から構成されている。図５（ｂ）は、３枚の帯の折り目を向かい合わせるように内側に折曲げて、帯の間に２枚の台紙を設置する。図５（ｃ）は、帯３１、３３の両端を夫々右側の矢印方向に折曲げ、帯３２の両端は左側の矢印方向に折曲げる。図６（ｄ）は、折り曲げた帯の先端を２枚の台紙３４、３５の上面にのみ糊付けする。図６（ｅ）は、２枚の台紙３４、３５が接する辺で３枚の帯が互い違いに交差することで帯同士が拘束し合い、蝶番の機能を果している。図６（ｆ）は、台紙の内側の面と帯は接着されていないため、左右のどちらにも開くことが可能となっている。
【０００４】
図７（ａ）、（ｂ）に示すように、左右どちらにでも開くことができる特徴を使って絵やカレンダーを貼り付けたミニ屏風４０としても使用されている。例えば、非特許文献１では、開いた側の帯面に６ヶ月分のカレンダーを貼り付け、反対に開いた時の帯面（帯の裏面に相当）には残りの６ヶ月のカレンダーを張り付けた「からくりカレンダー」が紹介されている。
【非特許文献１】田渕伸子監修「美しい絵手紙の描き方１２ヶ月」成美堂出版、２００５年１０月発行
【発明の開示】
【発明が解決しようとする課題】
【０００５】
しかし、図７で示したパタパタの機能を持つミニ屏風４０を作成する場合、左右どちらにでも開くことができる機能を発揮させるためには、図５（ａ）に示すように２枚の台紙３４、３５に３枚の帯３１、３２、３３を互い違いに貼り付ける必要がある。そのため作成にかかる手間と時間、及び完成後の品質にばらつきが生ずるという問題がある。折り紙製品として販売する場合には、コスト及び品質は重要な問題であり、安いコストで作成し品質を一定に保ちながら、いかにして折り紙としての遊び心を加味するかが重要である。
【０００６】
本発明は以上の点に着目し成されたもので、型抜きされた１枚の台紙を用いることで折り紙としての要素を損なわずに作成が可能であり、かつ低コストで均一な見開きパネルを提供することを目的とする。
【課題を解決するための手段】
【０００７】
本発明は、上述の目的を達成するため、以下（１）、（２）の構成を備えるものである。
【０００８】
（１）縦幅寸法ｈ、横幅寸法ｗの長方形状の面Ｘと、該面Ｘと同一寸法の面Ｙと、前記面Ｘ、Ｙに連結される帯Ａ、Ｂ、Ｃ、Ｄとが１枚の台紙で構成される見開きパネルであって、前記帯は、縦幅寸法ｇ、横幅寸法ｗの長方形状であって、前記台紙は、帯Ａ、面Ｘ、２個の帯Ｃ、Ｄ、面Ｙ、帯Ｂの順序で連結されており、各連結部には、それぞれ折り目を具備し、前記２個の帯Ｃ、Ｄは、それぞれ面Ｘと面Ｙの間に平行に連結され、帯Ｃと帯Ｄとの間には、前記帯と同一寸法の隙間を具備する台紙を、前記折り目を所定の方向に折り曲げ、かつ、帯Ａと帯Ｂとを重ね合わせて接合することで形成されることを特徴とする見開きパネル。
【０００９】
（２）縦幅寸法が異なる前記帯で連結された前記台紙であって、前記帯Ａと帯Ｂとは同一の縦幅寸法で、前記帯Ｃと帯Ｄの間にある隙間の縦幅寸法が、前記帯Ａ、Ｂと同一寸法の隙間を具備する台紙であることを特徴とする前記（１）記載の見開きパネル。
【発明の効果】
【００１０】
本発明によれば、パタパタの最大の特徴である左右どちらにでも開くことができる機能を、１枚の台紙に持たせることで折り紙の要素を損なうことなく作成し、低コストで均一な品質の見開きパネルを提供することが可能となる。
【発明を実施するための最良の形態】
【００１１】
以下、本発明を実施するための最良の形態を、実施例により詳しく説明する。
【実施例】
【００１２】
本実施例の見開きパネルの機能と作成方法を、図１、図２、図３に従い詳しく説明する。
【００１３】
図１は、見開きパネルを作成するため、左右対称の形状に型抜きされた台紙の展開図であり、左右どちらにでも開くというパタパタの最大の特徴を担うために、型抜きされ必要な折り目を入れた１枚の台紙で構成されている。表紙となる長方形状の面Ｘと面Ｙは同一の縦幅寸法ｈと横幅寸法ｗで形成され、帯Ａ、Ｂ、Ｃ、Ｄは同一の縦幅寸法ｇと横幅寸法ｗで形成されている。また、帯の縦幅寸法ｇは面の縦幅寸法ｈの１／３幅であり、横幅寸法ｗは帯も面も同一の長さの長方形状である。
【００１４】
図左から帯Ａ、面Ｘ、上下に平行に配置された２個の帯Ｃと帯Ｄ、面Ｙ、帯Ｂの順序で構成され、そして帯Ｃと帯Ｄの間に空いた隙間は前記帯と同一寸法の空間を形成している。また台紙１には、帯と面との連結部に横幅寸法ｗで同一間隔の平行な折り目が形成され、この折り目を入れることにより折り紙としての要素を加味しながら正確で効率的に、且つ均一な品質の見開きパネルを作成することができる。台紙上の破線で示した横幅寸法ｗで同一間隔の平行な折り目（１ａ、２ａと２ｂ、３ａと３ｂ、４ａ）に沿って台紙１を折り曲げることにより、左右どちらにでも開くことができるパタパタの機能を、１枚の台紙１に持たせることを可能としたものである。
【００１５】
図２は完成した見開きパネルの、図２（ａ）左開き、図２（ｂ）右開きの状態を示した機能図である。
【００１６】
表紙となる面Ｘ（図中では上面で図示）と面Ｙ（下面で図示）との間に、中央に重ね合わせて接合された帯Ａと帯Ｂ、上下に帯Ｃ、Ｄとが挟み込まれて２つ折りにされた図左の状態から、左右に開いた状態を図右に示している。各帯は面Ｘ、Ｙの両端部のみで連結され、上下の２個の帯Ｃ、Ｄの間の隙間で重ねて合わせて貼り合わせた帯Ａ、Ｂと上下の帯Ｃ、Ｄとが交差した形状を構成することで蝶番の機能を発揮しつつ左右どちらにも開くことができる見開きパネルとなる。
【００１７】
図３、４は、見開きパネルを作成するための作成手順（ａ）〜（ｈ）を示したもので、この手順に従い作成作業を進めることで作成者は折り紙を楽しみながら間違うことなく正確かつ効率的に見開きパネルを作成することができる。
【００１８】
所定の形状に型抜きされた台紙１において、帯Ａ、Ｂは中央の帯の役目をし、帯Ｃ、Ｄの間の隙間で帯Ａと帯Ｂとを貼り合わされ、上下の帯Ｃ、Ｄと交差するように配置される。この交差した帯の形状がパタパタの機能である蝶番の役目をして、左右どちらにでも開くことができる機能を実現している。また、面Ｘと面Ｙは、完成した見開きパネルの表紙面になる。
【００１９】
交差する帯の両面にカレンダーを貼付けたり、或いは写真を貼付けたりすることで、からくりカレンダーやフォトスタンド等に利用できる見開きパネルとなる。
【００２０】
＜作成方法＞
図３（ａ）〜（ｄ）、図４（ｅ）〜（ｈ）のステップに従い見開きパネルの作成手順を説明する。
【００２１】
（ａ）台紙１の帯Ａを折り目１ａに沿って右側に折り曲げる。
【００２２】
（ｂ）台紙１の面Ｘと帯Ｃ、Ｄの境にある折り目２ａ、２ｂに沿って矢印の方向に折り曲げる。
【００２３】
（ｃ）台紙１の帯Ｂを折り目４ａに沿って矢印の方向の右側に折り曲げる。
【００２４】
（ｄ）台紙１の帯Ｂの上面は糊付け面である。
【００２５】
（ｅ）台紙１の帯Ａを折り目１ａに沿って矢印の方向の左側に折り曲げ、帯Ｂの糊付け面と貼り合せる。
【００２６】
（ｆ）帯Ａと帯Ｂを重ねて貼り合わせた後、折り目３ａ、３ｂに沿って矢印の方向に折り曲げる。
【００２７】
（ｇ）見開きパネルの完成。
【００２８】
（ｈ）台紙１の帯Ｃ、Ｄと中央で貼り合わされた帯Ａ、Ｂが面Ｘと面Ｙとの間で交差した状態を示し、夫々の帯が交差することにより左右どちらにも開く機能を発揮する。
【００２９】
上記の作成手順により、作成者は折り紙の要素を楽しみながら効率的に作業を行うことができる上、均一な品質の見開きパネルを作ることが可能となる。尚、本実施例では同一幅の帯で作成する例を示したが帯幅を変えて作成することも可能であり、上記実施例に示した形状に限定するものではない。
【００３０】
図４（ｈ）で示した帯を交差できるように台紙１を型抜き成形することで、従来の製品に無かった左右どちらにでも開くことができる機能を１枚の台紙で実現したことが本発明の要旨である。
【００３１】
従来は、部品点数が５点で構成されていた見開きパネルを、台紙１枚に削減して製作コストを下げ、台紙１にパタパタの機能を集約した形状と折り目を形成することで作成効率を高め、大量生産が可能となる見開きパネルを実現したものである。このことにより、折り紙の要素を損なうことなく、低コストで均一な品質の見開きパネルを提供することが可能となる。
【図面の簡単な説明】
【００３２】
【図１】本実施例に係る見開きパネル用台紙の展開図
【図２】本実施例に係る見開きパネルの機能図
【図３】本実施例に係る見開きパネルの第一の作成手順
【図４】本実施例に係る見開きパネルの第二の作成手順
【図５】従来のミニ屏風の第一の作成手順
【図６】従来のミニ屏風の第二の作成手順
【図７】従来のパタパタの機能を使ったミニ屏風カレンダー
【符号の説明】
【００３３】
１    台紙
１ａ  折り目
２ａ  折り目
２ｂ  折り目
３ａ  折り目
３ｂ  折り目
４ａ  折り目
Ａ    帯
Ｂ    帯
Ｃ    帯
Ｄ    帯
Ｘ    面
Ｙ    面
３１  帯
３２  帯
３３  帯
３４  台紙
３５  台紙
４０  ミニ屏風
【図１】
2010083067.tif 000003
【図２】
2010083067.tif 000004
【図３】
2010083067.tif 000005
【図４】
2010083067.tif 000006
【図５】
2010083067.tif 000007
【図６】
2010083067.tif 000008
【図７】
2010083067.tif 000009